(57)【要約】【課題】より容易にコンテンツの視聴に関する情動の共有を可能にすること。【解決手段】コンテンツを視聴しているユーザの生体情報を、ユーザに視聴されているコンテンツに対応付けて取得し、取得された生体情報のうち、同一のコンテンツを視聴している複数のユーザの生体情報を解析することによって、複数のユーザ間の情動の関係性に関する情報を取得する。【選択図】図８
2015162015.tif 000002
【特許請求の範囲】
【請求項１】
コンテンツを視聴しているユーザの生体情報を、前記ユーザに視聴されている前記コンテンツに対応付けて取得する取得部と、
前記取得部によって取得された前記生体情報のうち、同一のコンテンツを視聴している複数のユーザの生体情報を解析することによって、前記複数のユーザ間の情動の関係性に関する情報を取得する解析部と、
を備える情報取得システム。
【請求項２】
前記解析部は、第１のユーザの前記生体情報と、第２のユーザの前記生体情報と、の変化の類似性に基づいて、前記関係性に関する情報を取得する、請求項１に記載の情報取得システム。
【請求項３】
前記解析部によって取得された前記情報に基づき、前記関係性が類似していることを表す所定の条件を満たす他のユーザを、前記ユーザと関連づけるサービス提供部をさらに備える、請求項１又は２に記載の情報取得システム。
【請求項４】
前記サービス提供部は、前記所定の条件を満たす複数のユーザの集合であるグループ毎に、同一のグループに属する他のユーザとコミュニケーションをとるためのサービスを提供する、請求項３に記載の情報取得システム。
【請求項５】
コンテンツを視聴しているユーザの生体情報を、前記ユーザに視聴されている前記コンテンツに対応付けて取得する取得ステップと、
前記取得ステップにおいて取得された前記生体情報のうち、同一のコンテンツを視聴している複数のユーザの生体情報を解析することによって、前記複数のユーザ間の情動の関係性に関する情報を取得する解析ステップと、
を有する情報取得方法。
【請求項６】
コンテンツを視聴しているユーザの生体情報を、前記ユーザに視聴されている前記コンテンツに対応付けて取得する取得ステップと、
前記取得ステップにおいて取得された前記生体情報のうち、同一のコンテンツを視聴している複数のユーザの生体情報を解析することによって、前記複数のユーザ間の情動の関係性に関する情報を取得する解析ステップと、
をコンピュータに実行させるためのコンピュータプログラム。
【発明の詳細な説明】
【技術分野】
【０００１】
本発明は、コンテンツを視聴しているユーザに対して付加的サービスを提供する技術に関する。
【背景技術】
【０００２】
従来、コンテンツを視聴しているユーザ同士で、ＳＮＳ（Social Networking Service）等のツールを用いることによって感想を共有することが行われている（例えば特許文献１参照）。このようなツールでは、ユーザがテキストや絵文字を用いて自身の感想を入力することで、他者との感想の共有が実現される。
【先行技術文献】
【特許文献】
【０００３】
【特許文献１】特開２００４−３５００９２号公報
【発明の概要】
【発明が解決しようとする課題】
【０００４】
しかしながら、同じコンテンツを視聴しているユーザ同士であっても、感性が似ている者もいれば感性が似ていない者もいる。ユーザによっては、なるべく似た感性の他者とコミュニケーションを図りたいという要望があった。
上記事情に鑑み、本発明は、自身と感性が似ている可能性のあるユーザに関する情報をより容易に取得する事を可能にする技術の提供を目的としている。
【課題を解決するための手段】
【０００５】
本発明の一態様は、コンテンツを視聴しているユーザの生体情報を、前記ユーザに視聴されている前記コンテンツに対応付けて取得する取得部と、前記取得部によって取得された前記生体情報のうち、同一のコンテンツを視聴している複数のユーザの生体情報を解析することによって、前記複数のユーザ間の情動の関係性に関する情報を取得する解析部と、を備える情報取得システムである。
【０００６】
本発明の一態様は、上記の情報取得システムであって、前記解析部は、第１のユーザの前記生体情報と、第２のユーザの前記生体情報と、の変化の類似性に基づいて、前記関係性に関する情報を取得する。
本発明の一態様は、上記の情報取得システムであって、前記解析部によって取得された前記情報に基づき、前記関係性が類似していることを表す所定の条件を満たす他のユーザを、前記ユーザと関連づけるサービス提供部をさらに備える。
本発明の一態様は、上記の情報取得システムであって、前記サービス提供部は、前記所定の条件を満たす複数のユーザの集合であるグループ毎に、同一のグループに属する他のユーザとコミュニケーションをとるためのサービスを提供する。
【０００７】
本発明の一態様は、コンテンツを視聴しているユーザの生体情報を、前記ユーザに視聴されている前記コンテンツに対応付けて取得する取得ステップと、前記取得ステップにおいて取得された前記生体情報のうち、同一のコンテンツを視聴している複数のユーザの生体情報を解析することによって、前記複数のユーザ間の情動の関係性に関する情報を取得する解析ステップと、を有する情報取得方法である。
【０００８】
本発明の一態様は、コンテンツを視聴しているユーザの生体情報を、前記ユーザに視聴されている前記コンテンツに対応付けて取得する取得ステップと、前記取得ステップにおいて取得された前記生体情報のうち、同一のコンテンツを視聴している複数のユーザの生体情報を解析することによって、前記複数のユーザ間の情動の関係性に関する情報を取得する解析ステップと、をコンピュータに実行させるためのコンピュータプログラムである。
【発明の効果】
【０００９】
本発明により、自身と感性が似ている可能性のあるユーザに関する情報をより容易に取得する事が可能になる。
【図面の簡単な説明】
【００１０】
【図１】情報取得システム１のシステム構成を表すシステム構成図である。
【図２】センササーバ５０の機能を表す概略ブロック図である。
【図３】センサデータ記憶部５０３に記憶されている生体情報テーブルの具体例を示す図である。
【図４】関係性情報記憶部５０５に記憶されている関係性情報テーブルの具体例を示す図でである。
【図５】生体情報の時系列の変化の具体例を表す図である。
【図６】サービス提供サーバ６０の機能を表す概略ブロック図である。
【図７】サービス提供部６０２によって生成されたデータが、端末装置１０のディスプレイ１０１に表示された場合の表示例を示す図である。
【図８】対象ユーザとシンクロユーザとの関係性情報を表す画面の具体例を示す図である。
【図９】対象ユーザとシンクロユーザとの関係性情報を表す画面の具体例を示す図である。
【図１０】コンテンツサーバ７０によって提供される映像の具体例を示す図である。
【図１１】盛り上がり箇所を表す画面の具体例を示す図である。
【図１２】生体情報取得マップの表示例を示す図である。
【発明を実施するための形態】
【００１１】
図１は、情報取得システム１のシステム構成を表すシステム構成図である。情報取得システム１は、端末装置１０、生体情報センサ２０、テレビ受像機３０、ネットワーク４０、センササーバ５０、サービス提供サーバ６０及びコンテンツサーバ７０を備える。端末装置１０、テレビ受像機３０、センササーバ５０、サービス提供サーバ６０及びコンテンツサーバ７０は、ネットワーク４０に接続されている。
【００１２】
端末装置１０は、ネットワーク４０を介して通信可能な情報処理装置である。端末装置１０は、例えば携帯電話機、スマートフォン、タブレット、電話機、パーソナルコンピュータ、ゲーム機器、セットトップボックス等を用いて構成される。端末装置１０は、生体情報センサ２０から無線通信又は有線通信によって生体情報を取得する。端末装置１０は、生体情報センサ２０によって生体情報が取得されているユーザが視聴しているコンテンツの識別情報（コンテンツＩＤ）と、生体情報が取得された日時と、生体情報と、をセンササーバ５０に送信する。また、端末装置１０は、センササーバ５０又はサービス提供サーバ６０から情報を受信すると、受信された情報を画面に出力する。
【００１３】
なお、端末装置１０は、生体情報センサ２０によって生体情報が取得されているユーザが視聴しているコンテンツの識別情報（コンテンツＩＤ）をどのような処理によって取得してもよい。例えば、ユーザが端末装置１０を操作することによってコンテンツＩＤを端末装置１０に入力してもよい。例えば、テレビ受像機３０から、テレビ受像機３０において再生中のコンテンツのコンテンツＩＤを無線通信又は有線通信によって取得してもよい。例えば、コンテンツが端末装置１０において再生されている場合には、コンテンツを再生するアプリケーションから再生中のコンテンツのコンテンツＩＤを取得してもよい。
【００１４】
生体情報センサ２０は、ユーザの生体情報を取得する。生体情報は、例えば心拍数、体温、音声の出力レベル、血圧等の値である。生体情報センサ２０によって取得された生体情報は、ネットワーク４０を介してセンササーバ５０に送信される。本実施形態では、生体情報センサ２０は、ユーザの心拍数を生体情報として取得する。生体情報センサ２０は、取得された生体情報と、生体情報が取得された日時と、を無線通信又は有線通信によって端末装置１０に送信する。
【００１５】
テレビ受像機３０は、テレビ放送信号を受信する。テレビ受像機３０は、受信されたテレビ放送信号に基づいて映像を生成し画面に表示する。
ネットワーク４０は、データを伝送する通信路である。ネットワーク４０は、例えばインターネットを用いて構成されてもよいし、ＮＧＮ（Next Generation Network）を用いて構成されてもよいし、他の態様で構成されてもよい。
【００１６】
センササーバ５０は、通信可能な情報処理装置を用いて構成される。センササーバ５０は、生体情報センサ２０によって取得された生体情報を蓄積する。センササーバ５０は、蓄積された生体情報に基づいて、映像を視聴しているユーザ同士の情動の関係性に関する情報（以下、「関係性情報」という。）を取得する。センササーバ５０は、取得された関係性情報を端末装置１０、サービス提供サーバ６０及びコンテンツサーバ７０に送信する。
【００１７】
サービス提供サーバ６０は、通信可能な情報処理装置を用いて構成される。サービス提供サーバ６０は、他のユーザとのコミュニケーションを図るためのサービス（以下、「コミュニケーションサービス」という。）を、コンテンツを視聴しているユーザに対して提供する。サービス提供サーバ６０は、例えば、ＳＮＳ（Social Networking Service）の形態でユーザにコミュニケーションサービスを提供してもよい。サービス提供サーバ６０は、例えば、関係性情報に基づいて他のユーザに関する情報を提供することによって、ユーザにコミュニケーションサービスを提供してもよい。サービス提供サーバ６０によるコミュニケーションサービスの提供は、他のどのような態様によって行われてもよい。
【００１８】
コンテンツサーバ７０は、通信可能な情報処理装置又は放送機器を用いて構成される。コンテンツサーバ７０は、ネットワーク４０を介して、端末装置１０又はテレビ受像機３０に対してコンテンツを提供する。コンテンツサーバ７０は、テレビ放送信号を送信することによって、端末装置１０又はテレビ受像機３０にコンテンツを提供してもよい。
【００１９】
情報取得システム１では、テレビ放送信号に応じたテレビ映像がテレビ受像機３０に表示される。その際に、生体情報センサ２０は、テレビ受像機３０のテレビ映像を視聴しているユーザの生体情報を取得する。ユーザの生体情報は、ネットワーク４０を介してセンササーバ５０に送信される。センササーバ５０は、各ユーザの生体情報に基づいて、ユーザ同士の生体情報の関係性を示す情報を取得する。センササーバ５０によって取得された情報に基づき、サービス提供サーバ６０がコミュニケーションサービスをユーザに提供する。このような構成により、自身と感性が似ている可能性のあるユーザに関する情報をより容易に取得する事が可能となる。
以下、情報取得システム１について詳細に説明する。
【００２０】
図２は、センササーバ５０の機能を表す概略ブロック図である。センササーバ５０は、バスで接続されたＣＰＵ（Central Processing Unit）やメモリや補助記憶装置などを備える。センササーバ５０は、生体情報解析プログラムを実行することによって、通信部５０１、データ蓄積制御部５０２、センサデータ記憶部５０３、解析部５０４、関係性情報記憶部５０５及び送信制御部５０６を備える装置として機能する。なお、センササーバ５０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。生体情報解析プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。生体情報解析プログラムは、電気通信回線を介して送信されてもよい。
【００２１】
通信部５０１は、ネットワークインタフェースを用いて構成される。通信部５０１は、ネットワーク４０を介して他の通信装置（例えば端末装置１０、サービス提供サーバ６０及びコンテンツサーバ７０）との間でデータを送受信する。
【００２２】
データ蓄積制御部５０２は、通信部５０１によって受信されたデータから生体情報を取得する。データ蓄積制御部５０２は、取得された生体情報をセンサデータ記憶部５０３に書き込む。
センサデータ記憶部５０３は、磁気ハードディスク装置や半導体記憶装置などの記憶装置を用いて構成される。センサデータ記憶部５０３は、生体情報テーブルを記憶する。生体情報テーブルは、データ蓄積制御部５０２によって取得された生体情報を含むレコード（以下、「生体情報レコード」という。）によって構成される。
【００２３】
図３は、センサデータ記憶部５０３に記憶されている生体情報テーブルの具体例を示す図である。生体情報テーブルは、複数の生体情報レコード９１を有する。生体情報レコード９１は、ユーザＩＤ、コンテンツＩＤ、取得日時及び生体情報の各値を有する。ユーザＩＤは、生体情報が取得されたユーザの識別情報である。コンテンツＩＤは、生体情報が取得された際にユーザが視聴していたコンテンツの識別情報である。取得日時は、生体情報が取得された日時である。生体情報は、生体情報センサ２０によって取得された生体情報である。
【００２４】
解析部５０４は、センサデータ記憶部５０３に記憶されている生体情報を解析することによって関係性情報を取得する。
関係性情報記憶部５０５は、磁気ハードディスク装置や半導体記憶装置などの記憶装置を用いて構成される。関係性情報記憶部５０５は、関係性情報テーブルを記憶する。関係性情報テーブルは、解析部５０４によって取得された関係性情報を含むレコード（以下、「関係性情報レコード」という。）によって構成される。
【００２５】
図４は、関係性情報記憶部５０５に記憶されている関係性情報テーブルの具体例を示す図でである。関係性情報テーブルは、複数の関係性情報レコード９２を有する。関係性情報レコード９２は、ユーザＩＤ、コンテンツＩＤ、取得日時及び関係性情報の各値を有する。ユーザＩＤは、関係性情報の元となった生体情報が取得されたユーザの識別情報である。コンテンツＩＤは、関係性情報の元となった生体情報が取得された際にユーザが視聴していたコンテンツの識別情報である。取得日時は、関係性情報の元となった生体情報が取得された日時である。関係性情報は、ユーザ自身の生体情報と他のユーザの生体情報とに基づいて解析部５０４が取得した関係性情報である。
【００２６】
送信制御部５０６は、他の装置からの要求に応じて、センサデータ記憶部５０３に記憶されている生体情報と、関係性情報記憶部５０５に記憶されている関係性情報と、を送信する。
【００２７】
図５は、生体情報の時系列の変化の具体例を表す図である。図５において、グラフの縦軸は心拍数（生体情報）、横軸は時間を表す。折れ線７１＿１は、ユーザＡ１の心拍の時系列の変化を表す。時刻ｔにおけるユーザＡ１の心拍数は、Ａ１（ｔ）で表される。折れ線７１＿２は、ユーザＡ２の心拍の時系列の変化を表す。時刻ｔにおけるユーザＡ２の心拍数は、Ａ２（ｔ）で表される。Ａ１（ｔ）及びＡ２（ｔ）の各値は、ｔが決まれば一意に得られる値であり、生体情報テーブルに基づいて取得される。次に、解析部５０４による解析処理の具体例について図５を用いて説明する。
【００２８】
解析部５０４は、同一のコンテンツを視聴していた第１ユーザ（例えばユーザＡ１）及び第２ユーザ（例えばユーザＡ２）のシンクロに関する情報を取得する。解析部５０４は、取得されたシンクロに関する情報を関係性情報として扱う。
【００２９】
シンクロに関する情報は、例えばシンクロ度として表される値であってもよい。シンクロ度は、第１ユーザにおける生体情報（以下、「第１生体情報」という。）の時系列の変化と、第２ユーザにおける生体情報（以下、「第２生体情報」という。）の時系列の変化とが類似する程度を表す値である。シンクロ度が高いほど、第１生体情報の時系列の変化と第２生体情報の時系列の変化とが類似している。シンクロ度が低いほど、第１生体情報の時系列の変化と第２生体情報の時系列の変化とが異なっている。シンクロに関する情報は、シンクロの有無を表す情報であってもよい。
以下、シンクロに関する情報の取得方法の複数の具体例について説明する。
【００３０】
（具体例１）
解析部５０４は、時刻ｔ１における第１生体情報の値Ａ１（ｔ１）と、時刻ｔ２における第１生体情報の値Ａ１（ｔ２）との差分を算出する。また、解析部５０４は、時刻ｔ１における第２生体情報の値Ａ２（ｔ１）と、時刻ｔ２における第２生体情報の値Ａ２（ｔ２）との差分を算出する。そして、解析部５０４は、算出された二つの差分の差が小さいほど、シンクロ度が高いと判定する。一方、解析部５０４は、算出された二つの差分の差が大きいほど、シンクロ度が低いと判定する。
【００３１】
解析部５０４は、所定の閾値を用いてシンクロ度を判定してもよい。例えば、二つの差分の差が閾値未満である場合には、解析部５０４は、第１ユーザ及び第２ユーザがシンクロしていると判定してもよい。二つの差分の差が閾値以上である場合には、解析部５０４は、第１ユーザ及び第２ユーザがシンクロしていないと判定してもよい。
【００３２】
（具体例２）
解析部５０４は、時刻ｔ１における第１生体情報の値Ａ１（ｔ１）と、時刻ｔ２における第１生体情報の値Ａ１（ｔ２）との差分を算出する。また、解析部５０４は、時刻ｔ１における第２生体情報の値Ａ２（ｔ１）と、時刻ｔ２における第２生体情報の値Ａ２（ｔ２）との差分を算出する。解析部５０４は、第１生体情報における差分と、第２生体情報における差分との差が所定の閾値未満であるか否か判定する。解析部５０４は、第１生体情報における差分と、第２生体情報における差分との差が閾値未満である状態が連続して所定の時間継続した場合に、第１ユーザ及び第２ユーザがシンクロしていると判定してもよい。
【００３３】
（具体例３）
解析部５０４は、第１ユーザ及び第２ユーザそれぞれの生体情報の時系列の変化を表すグラフを生成する。解析部５０４は、パターンマッチング処理を行う事によって、第１ユーザの生体情報のグラフ（例えば折れ線７１＿１）と、第２ユーザの生体情報のグラフ（例えば折れ線７１＿２）との類似度を算出する。類似度の算出にはどのようなアルゴリズムが用いられてもよい。例えば、ＳＳＤ（Sum of Squared Difference）、ＳＡＤ（Sum of Absolute Difference）、ＮＣＣ（Normalized Cross-Correlation）などが用いられてもよい。算出された類似度が所定の閾値以上である場合、解析部５０４は、第１ユーザと第２ユーザとがシンクロしていると判定する。
【００３４】
（具体例４）
解析部５０４は、第１ユーザ及び第２ユーザそれぞれの生体情報の時系列の変化を表すグラフを生成する。解析部５０４は、第１ユーザのグラフと第２ユーザのグラフとが交差する回数（以下、「交差回数」という。）を計数する。解析部５０４は、所定時間内における交差回数が多いほどシンクロ度が高いと判定する。解析部５０４は、所定時間内における交差回数が少ないほどシンクロ度が低いと判定する。
以上で、解析部５０４の処理の具体例についての説明を終える。
【００３５】
図６は、サービス提供サーバ６０の機能を表す概略ブロック図である。サービス提供サーバ６０は、バスで接続されたＣＰＵやメモリや補助記憶装置などを備える。サービス提供サーバ６０は、サービス提供プログラムを実行することによって、通信部６０１及びサービス提供部６０２を備える装置として機能する。なお、サービス提供サーバ６０の各機能の全て又は一部は、ＡＳＩＣやＰＬＤやＦＰＧＡ等のハードウェアを用いて実現されてもよい。サービス提供プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置（例えばＳＳＤ）等の可搬媒体、コンピュータシステムに内蔵されるハードディスクや半導体記憶装置等の記憶装置である。サービス提供プログラムは、電気通信回線を介して送信されてもよい。
【００３６】
通信部６０１は、ネットワークインタフェースを用いて構成される。通信部６０１は、ネットワーク４０を介して他の通信装置（例えば端末装置１０、センササーバ５０及びコンテンツサーバ７０）との間でデータを送受信する。
サービス提供部６０２は、端末装置１０のユーザに対して、感性が似ている可能性のある他のユーザとのコミュニケーションを図るためのコミュニケーションサービスを提供する。具体的には以下のとおりである。
【００３７】
サービス提供部６０２は、センササーバ５０から、コミュニケーションサービスの提供対象となっているユーザ（以下、「対象ユーザ」という。）の関係性情報を取得する。サービス提供部６０２は、取得された関係性情報に基づいて、関係性が類似していることを表す所定の条件を満たしているユーザ（以下、「シンクロユーザ」という。）を判定する。所定の条件とは、例えば、シンクロしている回数がより多いユーザやシンクロ度が高いユーザである。サービス提供部６０２は、所定の条件が満たされたユーザ同士（対象ユーザとシンクロユーザ）を関連づけて記憶する。サービス提供部６０２は、シンクロユーザを対象ユーザに対して紹介するためのデータを生成する。サービス提供部６０２は、生成されるデータを、ネットワーク４０を介して端末装置１０へ送信する。なお、サービス提供部６０２は、上記の所定の条件を満たしている複数のユーザを１つのグループとして関連づけてもよい。また、サービス提供部６０２は、関連づけられたグループの各ユーザに対して、グループ単位でのサービス（例えば、グループのユーザで情報を共有するためのサービス）を提供してもよい。
【００３８】
図７は、サービス提供部６０２によって生成されたデータが、端末装置１０のディスプレイ１０１に表示された場合の表示例を示す図である。ディスプレイ１０１には、複数のユーザ枠１２（１２＿１〜１２＿３）が表示される。ユーザ枠１２の内側には、シンクロユーザに関する情報が表示される。図７の例では、シンクロユーザのアイコン、ユーザ名、所在地、年齢、性別、登録されたメッセージがユーザ枠１２内に表示される。ユーザ枠１２には、上から順にシンクロしている回数がより多いユーザや、シンクロ度がより高いユーザが表示される。ユーザ枠１２に対して操作がされると、操作されたユーザ枠１２に表示されているシンクロユーザとの関係性情報を表す画面が表示される。
【００３９】
なお、ユーザ枠１２に対する操作は、例えばディスプレイ１０１がタッチパネルである場合にはユーザ枠１２が表示されている部分へユーザが触れることによって行われてもよい。また、ユーザ枠１２に対する操作は、例えばポインティングデバイスによってクリックされることにより行われてもよい。
【００４０】
図８は、対象ユーザとシンクロユーザとの関係性情報を表す画面の具体例を示す図である。図８の例では、シンクロユーザの生体情報の時系列の変化を表す折れ線７１＿１と、対象ユーザの生体情報の時系列の変化を表す折れ線７１＿２と、シンクロした箇所を表すアイコン（以下、「シンクロアイコン」という。）７２（７２＿１〜７２＿３）と、がディスプレイ１０１に表示される。
【００４１】
図８の例では、シンクロされたと判断された各タイミングに該当する箇所には、シンクロアイコン７２が表示される。図８の例では、３つのシンクロアイコン７２が表示されているため、３つのタイミングでシンクロしたと判断されたことが分かる。対象ユーザは、このような画面を見ることによって、自身と同じタイミングで盛り上がった他のユーザを容易に知ることが可能となる。また、対象ユーザは、他のユーザが自身とシンクロしたタイミング（同様に盛り上がったタイミング）を容易に知ることが可能となる。
シンクロアイコン７２に対して操作が行われると、操作されたシンクロアイコン７２の位置が表す時刻からコンテンツが再生されてもよい。
【００４２】
図９は、対象ユーザとシンクロユーザとの関係性情報を表す画面の具体例を示す図である。図９の例では、シンクロユーザの生体情報の時系列の変化を表す折れ線７１＿１と、対象ユーザの生体情報の時系列の変化を表す折れ線７１＿２と、シンクロアイコン７２（７２＿１〜７２＿３）と、がディスプレイ１０１に表示される。また、各折れ線７１及び各シンクロアイコン７２の背景は、コンテンツの内容（シーン）に応じて異なる態様で表示される。図９の例では、領域８１＿１と、領域８１＿２と、領域８１＿３とでは、それぞれ異なる内容のコンテンツが視聴されていたことがわかる。図９に示されるように、領域毎に所定数（例えば１つ）のシンクロアイコン７２が表示されてもよい。
【００４３】
例えばコンテンツが野球の試合であれば、回や表裏が異なることに応じて背景が変えられてもよい。例えばコンテンツが漫才であれば、出演者が変わることに応じて背景が変えられてもよい。例えばコンテンツがドラマであれば、場面が変わることに応じて背景が変えられてもよい。背景が変わるタイミングは、予めコンテンツ毎に決められていてもよいし、コンテンツの映像や音声を解析することによって動的に判定されてもよい。
【００４４】
対象ユーザは、このような画面を見ることによって、自身と同じタイミングで盛り上がった他のユーザを容易に知ることが可能となる。また、対象ユーザは、他のユーザが自身とシンクロしたタイミング（同様に盛り上がったタイミング）や内容を容易に知ることが可能となる。
【００４５】
図１０は、コンテンツサーバ７０によって提供される映像の具体例を示す図である。コンテンツサーバ７０は、通常放送される動画像に重畳させて生体情報又は関係性情報が配置される映像がテレビ受像機３０の画面に表示されるような放送信号を生成する。図１０に示される例では、通常放送される動画像の上に、アイテム７３（７３＿１及び７３＿２）と、生体情報の時系列の変化を表すグラフ７４と、が表示されている。
【００４６】
アイテム７３＿１は、表示されている動画像を視聴している複数のユーザの生体情報の平均値を表す。アイテム７３＿２は、表示されている動画像に関連してスタジオにいる有名人の生体情報を表す。表示されるアイテム７３の数及び位置や、表示されるアイテムに表される生体情報が誰のものであるかは、適宜決められる。アイテム７３には、生体情報ではなく関係性情報や他の情報が表示されてもよい。例えば、対象ユーザと他のユーザとがシンクロしたことを表すようにアイテム７３が表示されてもよいし、対象ユーザ又は他のユーザが盛り上がっていると判定されたことを表すようにアイテム７３が表示されてもよいし、対象ユーザの生体情報の変化率を表すようにアイテム７３が表示されてもよい。
【００４７】
グラフ７４は、アイテム７３＿１として表示されている生体情報の値と、アイテム７３＿２として表示されている生体情報の値と、の時系列の変化を表す。グラフ７４には、他の生体情報が折れ線グラフとして表されてもよい。グラフ７４には、例えば図８や図９のように関係性情報を表す画像が表示されてもよい。
【００４８】
このように構成された情報取得システム１では、ユーザは、自身と感性が似ている可能性のあるユーザに関する情報をより容易に取得する事が可能になる。
例えば、ユーザは、端末装置１０の画面を見ることによって、同じコンテンツを視聴した他者のうち、自身と似た生体情報の動きをもったユーザ（シンクロユーザ）を知ることが可能となる。また、シンクロユーザの生体情報の具体的な動きを知ることも可能となる。さらに、シンクロユーザと自身とで特に生体情報の動きが同期した場面の映像を容易に閲覧することも可能となる。
例えば、ユーザは、テレビ受像機３０の画面を見ることによって、同じコンテンツを視聴している他者の生体情報又は情動情報を容易に取得することが可能となる。そのため、取得された情報に基づいて、自身と感性が似ている可能性のあるユーザを知ることが容易に可能である。
【００４９】
＜変形例＞
（０．サーバ構成について）
上述した実施形態では、センササーバ５０、サービス提供サーバ６０及びコンテンツサーバ７０がそれぞれの機能を有している。しかしながら、各サーバの機能は、さらに複数の装置に分割して実装されてもよいし、より少ない装置に実装されてもよい。例えば、センササーバ５０、サービス提供サーバ６０及びコンテンツサーバ７０の機能が１台の装置に実装されてもよい。
【００５０】
（１．ＳＮＳへの導入）
サービス提供サーバ６０は、自身の友人と関連づけることで友人の情報を容易に閲覧可能となるＳＮＳにおいて、対象ユーザに対して、シンクロユーザとＳＮＳでの関連づけの登録を提案するように構成されてもよい。
サービス提供サーバ６０は、ＳＮＳで関連づけられている他者の生体情報の時系列の変化や、自身との関係性情報を閲覧することが可能となるように構成されてもよい。
【００５１】
（２．盛り上がり箇所について）
解析部５０４は、関係性情報についてではなく、盛り上がり箇所を判定してもよい。例えば、以下に示すような処理によって解析部５０４は盛り上がり箇所を判定してもよい。
解析部５０４は、折れ線７１＿１（図５参照）に基づいて、時刻ｔ１の心拍数Ａ１（ｔ１）を取得する。また、解析部５０４は、折れ線７１＿１に基づいて、時刻ｔ１からΔｔ進んだ時刻ｔ２の心拍数Ａ１（ｔ２）を取得する。解析部５０４は、心拍数Ａ１（ｔ１）と心拍数Ａ１（ｔ２）との差分に基づいて、Δｔの間の心拍数の変化量を取得する。解析部５０４は、心拍数Ａ１（ｔ１）及び心拍数Ａ１（ｔ２）のいずれもが第一の閾値を超えていることと、Δｔの間の心拍数の変化量が第二の閾値を超えていることとを条件として、いずれの条件も満たされた場合に、その時点でユーザが盛り上がっていたと判定する。このように判定された時刻ｔ１が、盛り上がり箇所として判定される。
【００５２】
盛り上がり箇所の解析は、１人のユーザの生体情報に基づいて行われてもよいし、複数人（例えば、同一のコンテンツを閲覧している全てのユーザ）の生体情報に基づいて行われてもよい。複数人の生体情報に基づいて解析が行われる場合、例えば複数人の生体情報の平均値に基づいて解析が行われてもよい。
【００５３】
サービス提供サーバ６０は、盛り上がり箇所の情報を端末装置１０において表示させるように構成されてもよい。図１１は、盛り上がり箇所を表す画面の具体例を示す図である。図１１の例では、同一のコンテンツを閲覧している全てのユーザの生体情報の平均値が折れ線グラフとして表示されている。また、盛り上がり箇所として判定されたタイミングには、盛り上がり箇所を表すアイコン（以下、「盛り上がりアイコン」という。）７５（７５＿１〜７５＿３）がディスプレイ１０１に表示される。図１１の例では、盛り上がりアイコン７５の内部に、そのタイミングにおけるコンテンツの映像を表すサムネイル画像７６（７６＿１〜７６＿３）が表示される。
【００５４】
図１１の例では、３つのタイミングで盛り上がったと判断されたことが分かる。盛り上がったと判断された各タイミングに該当する箇所には、盛り上がりアイコン７５が表示される。ユーザは、このような画面を見ることによって、視聴者全体で盛り上がったタイミングを容易に知ることが可能となる。また、ユーザは、視聴者全体で盛り上がったタイミングにおけるコンテンツの映像を容易に知ることが可能となる。
【００５５】
なお、全てのユーザについて盛り上がり箇所が判定され、最も多く盛り上がり箇所が判定されたタイミングから順に所定数のタイミングが端末装置１０やテレビ受像機３０に提供されてもよい。このような提供は、例えばサービス提供サーバ６０によって行われてもよいし、コンテンツサーバ７０によって行われてもよい。
【００５６】
（３．生体情報センサ２０について）
生体情報センサ２０は、圧力計を用いて構成されてもよい。この場合、生体情報センサ２０は、ユーザの手に握られることによって生じる圧力を生体情報として取得してもよい。
生体情報センサ２０は、距離を測定するセンサを用いて構成されてもよい。この場合、生体情報センサ２０は、ユーザの前面と床面や机上面等との間の距離を測定することによって、ユーザが前のめりになっている程度に関する情報を生体情報として取得してもよい。
【００５７】
生体情報センサ２０は、湿度センサを用いて構成されてもよい。この場合、生体情報センサ２０は、ユーザの手に握られることによって、手のひらにかいている汗の量に関する情報として湿度を取得してもよい。この場合、湿度が生体情報である。
生体情報センサ２０は、カメラ及び表情認識装置を用いて構成されてもよい。この場合、生体情報センサ２０は、カメラによって撮像されたユーザの顔を解析することによって、笑顔の程度に関する情報を生体情報として取得してもよい。
【００５８】
生体情報センサ２０は、加速度センサを用いて構成されてもよい。この場合、生体情報センサ２０は、ユーザの体に装着されることによって、ユーザの体の動きの程度に関する情報として加速度を取得してもよい。例えば、加速度センサは、腕の動きにより生じる加速度を測定することにより、ユーザの興奮度を生体情報として取得できる。
生体情報センサ２０は、通信機能を備えてもよい。この場合、生体情報センサ２０は、端末装置１０を介することなく、ネットワーク４０を介してセンササーバ５０と通信してもよい。
【００５９】
（４．コンテンツについて）
テレビ受像機３０は、ＩＰマルチキャストやＩＰｖ６を用いたＩＰマルチキャスト放送サービスの映像データを受信してもよい。テレビ受像機３０は、ストリーミングによって伝送される映像データを受信してもよい。
【００６０】
（５．解析部５０４が備えられる装置について）
上述した情報取得システム１では、解析部５０４はセンササーバ５０に備えられている。しかしながら、解析部５０４は他の装置に備えられてもよい。
【００６１】
例えば、解析部５０４は、端末装置１０に備えられてもよい。この場合、端末装置１０は、解析処理に必要となる生体情報レコードをセンササーバ５０に要求する。センササーバ５０の送信制御部５０６は、要求された生体情報レコードをセンサデータ記憶部５０３から読み出し、要求元（端末装置１０）に生体情報レコードを送信する。端末装置１０の解析部５０４は、センササーバ５０から取得した生体情報レコードを用いて解析処理を行う。
【００６２】
例えば、解析部５０４は、テレビ受像機３０に備えられてもよい。この場合、テレビ受像機３０は、解析処理に必要となる生体情報レコードをセンササーバ５０に要求する。センササーバ５０の送信制御部５０６は、要求された生体情報レコードをセンサデータ記憶部５０３から読み出し、要求元（テレビ受像機３０）に生体情報レコードを送信する。テレビ受像機３０の解析部５０４は、センササーバ５０から取得した生体情報レコードを用いて解析処理を行う。
【００６３】
（６．いつもの時刻にセンサ入力が得られなければ）
端末装置１０又は生体情報センサ２０は、所定の時刻に生体情報の正常値が得られない場合には、ユーザに対してアラームを出力するように構成されてもよい。アラームの出力態様はどのように構成されてもよい。例えば、音声の出力が行われてもよいし、警告用の文字や画像が表示されてもよいし、バイブレーターが振動してもよい。また、テレビ受像機３０に警告用の文字や画像が表示されてもよい。このように構成されることにより、毎日決まったタイミングでユーザの生体情報を取得する事が可能となる。このように定期的に取得された生体情報は、例えば健康管理のための情報として利用することが可能となる。
なお、所定の時刻は、曜日毎、月毎、週毎に異なる値として設定されてもよいし、必ずしも毎日である必要も無い。
【００６４】
（７．生体情報取得マップの表示）
図１２は、生体情報取得マップの表示例を示す図である。サービス提供サーバ６０は、センササーバ５０によって所定のタイミングで生体情報が取得された位置を表す地図（生体情報取得マップ）を表す情報を端末装置１０に送信してもよい。図１２の例では、ディスプレイ１０１には、対象ユーザが位置している行政区画の地図が表示されている。行政区画の領域の内部には、生体情報が取得されたユーザの位置を表す黒塗りの円７７が複数表示されている。一つの円７７が、一人のユーザを表している。ユーザは、このような表示を見ることによって、自身の付近に位置する他のユーザがきちんと生体情報の取得を行っているか否か知ることが可能となる。そして、他の多くのユーザが生体情報の取得を行っている事実を知ることによって、自身の健康管理のモチベーションを高めることが可能となる。
【００６５】
（８．生体情報、関係性情報、盛り上がり箇所の検索）
端末装置１０は、ユーザによって指定される、生体情報、関係性情報又は盛り上がり箇所に関する検索条件とコンテンツＩＤとをサービス提供サーバ６０に送信してもよい。サービス提供サーバ６０は、コンテンツＩＤと検索条件とに基づいて、センササーバ５０から条件に該当する情報（検索結果）を取得する。例えば、あるコンテンツにおいて最も盛り上がり箇所が検出されたタイミングが検索されてもよい。例えば、あるコンテンツにおいて、ユーザによって指定された数名のユーザの関係性情報が検索されても良い。サービス提供サーバ６０は、検索結果を端末装置１０に送信する。
（９．アイテム７３＿２について）
アイテム７３＿２は、表示されている動画像に関連してスタジオにいる有名人の生体情報に限定される必要は無い。例えば、アイテム７３＿２は、スタジオにいない人間の生体情報を表してもよいし、スタジオにいる有名人ではない者（例えば観客など）の生体情報であってもよいし、他の人物又は動物の生態情報であってもよい。このことは、アイテム７３について共通する事項である。
【００６６】
上述した実施形態におけるの機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１…情報取得システム，  １０…端末装置（出力部），  ２０…生体情報センサ，  ３０…テレビ受像機，  ４０…ネットワーク，  ５０…センササーバ，  ５０１…通信部（送信部），  ５０２…データ蓄積制御部（取得部），  ５０３…センサデータ記憶部，  ５０４…解析部（解析部），  ５０５…関係性情報記憶部，  ５０６…送信制御部，  ６０…サービス提供サーバ，  ６０１…通信部，  ６０２…サービス提供部，  ７０…コンテンツサーバ
【図１】
2015162015.tif 000003
【図２】
2015162015.tif 000004
【図３】
2015162015.tif 000005
【図４】
2015162015.tif 000006
【図５】
2015162015.tif 000007
【図６】
2015162015.tif 000008
【図７】
2015162015.tif 000009
【図８】
2015162015.tif 000010
【図９】
2015162015.tif 000011
【図１０】
2015162015.tif 000012
【図１１】
2015162015.tif 000013
【図１２】
2015162015.tif 000014